(57)【要約】【課題】  歌唱者と同時にカラオケ演奏を楽しむリスナーの嗜好を反映した演奏条件を設定可能とする。【解決手段】  任意の利用者がリスナーとなった場合に所望する演奏条件を利用者ＩＤ別に格納した利用者別演奏条件データベース４４ｃを有する。演奏条件設定手段４９により、利用者ＩＤが付帯されて選曲予約されたカラオケ楽曲が演奏される際に、利用者別演奏条件データベース４４ｃを参照して、当該楽曲に付帯された利用者ＩＤを除いたログイン利用者ＩＤに対応する演奏条件の平均値を、当該楽曲の演奏条件として設定する。【選択図】  図１
2011013290.tif 000002
【特許請求の範囲】
【請求項１】
任意の利用者がリスナーとなった場合に所望する演奏条件を利用者ＩＤ別に格納した利用者別演奏条件データベースを有してなり、リスナーとなる利用者の嗜好に合わせて演奏条件を設定可能なカラオケシステムであって、利用者ＩＤ取得手段と、ログイン利用者管理手段と、演奏条件設定手段と、を備え、
前記利用者ＩＤ取得手段は、任意の利用者が当該システムにログインする際に、当該利用者の利用者ＩＤを取得し、
前記ログイン利用者管理手段は、現に当該システムにログインしている利用者を、前記取得された利用者ＩＤに基づき特定して管理し、
前記演奏条件設定手段は、利用者ＩＤが付帯されて選曲予約されたカラオケ楽曲が演奏される際に、前記利用者別演奏条件データベースを参照して、当該楽曲に付帯された利用者ＩＤを除いたログイン利用者ＩＤに対応する演奏条件の平均値を、当該楽曲の演奏条件として設定する、
ことを特徴とする演奏条件設定機能付きカラオケシステム。
【発明の詳細な説明】
【技術分野】
【０００１】
本発明は、カラオケ利用者の嗜好に合わせて演奏条件を設定可能なカラオケシステムに関するものである。
【背景技術】
【０００２】
カラオケボックス等に設置されたカラオケ演奏装置は、音量、エコー、音域音量の高低バランス等の演奏条件について、デフォルトの演奏条件から歌唱者の嗜好に合った演奏条件に変更するための機能を有しているのが一般的である。通常のカラオケ演奏装置では、デフォルトの演奏条件が設定されているため、カラオケ楽曲が演奏される毎に、歌唱者の嗜好に合わせて演奏条件の設定を変更しなければならず、設定作業が面倒であるという問題があった。
【０００３】
そこで、演奏条件の設定作業を容易に行うための技術が開発されている（特許文献１参照）。この特許文献１に記載された技術は、利用者ＩＤ別に、カラオケ楽曲毎の演奏条件を管理し、任意の利用者が所望のカラオケ楽曲を歌唱する際に、管理されている演奏条件が存在すると、その演奏条件を当該カラオケ楽曲の演奏条件として設定するようにしたものである。これにより、利用者がカラオケ楽曲に合わせて歌唱する際に、カラオケ演奏装置の操作性を向上させることができるとしている。
【先行技術文献】
【特許文献】
【０００４】
【特許文献１】特開平１１−５２９６６号公報
【発明の概要】
【発明が解決しようとする課題】
【０００５】
ところで、カラオケボックス等に設置されたカラオケ演奏装置は、２人以上のグループで利用するのが一般的である。この際、歌唱者の嗜好に合わせて演奏条件を設定しても、その設定が他の利用者の嗜好に合っているとはいえない場合がある。例えば、歌唱者の嗜好に合わせて、高音及び低音を強調した設定を行うと、リスナーである他の利用者には耳障りと感じる場合があり、これではグループ全員でカラオケ演奏を楽しむというカラオケシステム本来の利用目的を達成できなくなる。
【０００６】
この場合には、歌唱者の嗜好ではなく、リスナーの嗜好に合わせて演奏条件を設定すればよいが、上述したように、従来のカラオケ演奏装置は、歌唱者やリスナーが変わる毎にいちいち演奏条件の設定を変更しなければならず、設定操作が面倒となる。また、嗜好がそれぞれ異なるリスナーが多数いる場合には、どのリスナーの嗜好に合わせて設定を行うかを決めなければならず、設定された演奏条件についてリスナー間で反目が生じるおそれもある。
【０００７】
本発明は、上述した事情に鑑み提案されたもので、歌唱者と同時にカラオケ演奏を楽しむリスナーの嗜好を反映した演奏条件を、容易に設定可能なカラオケシステムを提供することを目的とする。
【課題を解決するための手段】
【０００８】
本発明の演奏条件設定機能付きカラオケシステムは、上述した目的を達成するため、以下の特徴点を有している。すなわち、本発明の演奏条件設定機能付きカラオケシステムは、任意の利用者がリスナーとなった場合に所望する演奏条件を利用者ＩＤ別に格納した利用者別演奏条件データベースを有してなり、リスナーとなる利用者の嗜好に合わせて演奏条件を設定可能なカラオケシステムであって、利用者ＩＤ取得手段と、ログイン利用者管理手段と、演奏条件設定手段と、を備えたことを特徴としている。
【０００９】
利用者ＩＤ取得手段は、任意の利用者が当該システムにログインする際に、当該利用者の利用者ＩＤを取得するための手段である。ログイン利用者管理手段は、現に当該システムにログインしている利用者を、取得された利用者ＩＤに基づき特定して管理するための手段である。演奏条件設定手段は、利用者ＩＤが付帯されて選曲予約されたカラオケ楽曲が演奏される際に、利用者別演奏条件データベースを参照して、当該楽曲に付帯された利用者ＩＤを除いたログイン利用者ＩＤに対応する演奏条件の平均値を、当該楽曲の演奏条件として設定するための手段である。
【００１０】
このような構成からなる演奏条件設定機能付きカラオケシステムでは、任意の利用者がリスナーとなった場合に所望する演奏条件が、利用者別演奏条件データベースに格納されている。演奏条件とは、例えば、音量、エコー、音域音量の高低バランスのことである。
【００１１】
任意の利用者がカラオケシステムにログインすると、利用者ＩＤ取得手段の機能により、当該利用者の利用者ＩＤが取得される。また、ログイン利用者管理手段の機能により、現に当該カラオケシステムにログインしている利用者を、利用者ＩＤに基づき特定して管理する。例えば、各利用者の利用者ＩＤは、各利用者が所持するＩＤカードに記憶されており、カードリーダ等によりＩＤカードに記憶された利用者ＩＤを読み込むことにより、カラオケシステムにログインしている利用者が管理される。
【００１２】
そして、演奏条件設定手段の機能により、利用者ＩＤが付帯されて選曲予約されたカラオケ楽曲が演奏される際に、利用者別演奏条件データベースを参照して、当該楽曲に付帯された利用者ＩＤを除いたログイン利用者ＩＤに対応する演奏条件を取得して、その平均値を、当該楽曲の演奏条件として設定する。すなわち、歌唱者の他にリスナーとなる利用者が存在する場合には、当該カラオケシステムの利用者は２名以上であり、本発明では、この場合に、リスナーの嗜好に合わせて演奏条件を設定するようになっている。
【発明の効果】
【００１３】
本発明の演奏条件設定機能付きカラオケシステムによれば、歌唱者以外にリスナーが存在する場合に、利用者別に管理されている演奏条件を参照し、当該カラオケ楽曲の歌唱者を除いたリスナーの演奏条件の平均値を求めて当該カラオケ楽曲の演奏条件として設定するため、歌唱者と同時にカラオケ演奏を楽しむリスナーの嗜好を反映することができる。また、リスナーが変わる毎に、いちいち手動で演奏条件の設定を変更する必要がなく、設定操作を容易に行うことができる。さらに、嗜好がそれぞれ異なるリスナーが多数いる場合であっても、すべてのリスナーの嗜好の平均値を採用するので、設定された演奏条件について利用者間の公平を確保することができる。したがって、グループでカラオケシステムを利用する際に、聴く側の嗜好が反映されるので、グループ全員でカラオケ演奏を楽しむというカラオケシステム本来の利用目的を達成することができる。
【図面の簡単な説明】
【００１４】
【図１】本発明の実施形態に係るカラオケシステムの構成を示すブロック図。
【図２】利用者別演奏条件データベースの構成例を示す説明図。
【図３】本発明の実施形態に係るカラオケシステムにおける演奏条件の設定処理を示すフローチャート。
【図４】本発明の実施形態に係るカラオケシステムにおける演奏条件の設定の手順を示す説明図。
【発明を実施するための形態】
【００１５】
以下、本発明の実施形態に係る演奏条件設定機能付きカラオケシステム（以下、カラオケシステムという）について説明する。図１は、本発明の実施形態に係るカラオケシステムの構成を示すブロック図である。
【００１６】
＜カラオケシステム＞
本発明の実施形態に係るカラオケシステム１１は、図１に示すように、カラオケ本体２１、カラオケリモコン装置２２、マイクロホン２３、スピーカ２４、ミキシングアンプ２５、表示装置２６を備えている。
【００１７】
＜カラオケリモコン装置＞
カラオケリモコン装置２２は、ユーザインタフェース機能を備えており、カラオケ本体２１の送受信手段４５に対して有線方式又は無線方式によりデータの送受信を行うようになっている。このカラオケリモコン装置２２は、楽曲検索手段２２ａとして機能するプログラム、楽曲索引データベース２２ｂ、利用者ＩＤ取得手段２２ｃとして機能する電子回路及びプログラム、データの送受信を行うための電子回路及びプログラム、フラッシュメモリ等からなる記憶手段（図示せず）を備えている。このカラオケリモコン装置２２に付帯するスイッチ類や、入出力表示部（図示せず）に表示される各種のアイコン等を操作することにより、選曲操作、演奏条件入力操作等が行われる。
【００１８】
＜楽曲検索手段／楽曲索引データベース＞
楽曲検索手段２２ａは、利用者の指示に基づき、楽曲索引データベース２２ｂを参照して楽曲を検索するためのプログラムからなる。楽曲索引データベース２２ｂは、カラオケシステム１１で演奏に供されるカラオケ楽曲についての属性情報を記述したデータベースであり、例えば、楽曲番号・曲名・歌手名・歌い出し部分の歌詞・流行時期・音楽ジャンル区分・デュエット曲か否かなど、種々の属性情報がこれに含まれている。
【００１９】
＜利用者ＩＤ取得手段＞
利用者ＩＤ取得手段２２ｃは、任意の利用者が当該カラオケシステムにログインする際に、当該利用者の利用者ＩＤを取得するための電子回路及びプログラムからなる。本実施形態では、利用者がカラオケシステム１１を利用する際に、利用者が所持するＩＤ媒体３１から利用者ＩＤを取得するようになっている。利用者ＩＤ取得手段２２ｃで取得した利用者ＩＤは、ＲＡＭ４３に一時的に記憶され、ログイン利用者管理手段４７で管理される。ＩＤ媒体３１は、例えば、非接触型のＩＤカード、携帯電話、携帯情報端末等からなり、利用者ＩＤを記憶して、利用者ＩＤ取得手段２２ｃとの間でデータの送受信を行うことができるようになっている。
【００２０】
＜カラオケ本体＞
カラオケ本体２１は、中央制御手段４１、ＲＯＭ４２、ＲＡＭ４３、ＨＤＤ４４、送受信手段４５、予約管理手段４６、ログイン利用者管理手段４７、利用者別演奏条件管理手段４８、演奏条件設定手段４９、音楽再生制御手段５０、映像再生制御手段５１を備えている。
【００２１】
＜中央制御手段＞
中央制御手段４１は、カラオケ本体２１を総合的に制御するための手段であり、例えばＣＰＵ及びその周辺機器により構成されており、ＣＰＵ等がＲＯＭ４２等に記憶されたアプリケーションプログラムに従って動作することにより、制御機能を発揮することができるようになっている。
【００２２】
＜ＲＯＭ／ＲＡＭ＞
ＲＯＭ４２は、カラオケ本体２１を構成する各機器を制御するためのアプリケーションプログラムデータや数値データを記憶するための機器で、例えば半導体メモリ等で構成される。また、ＲＡＭ４３は、アプリケーションプログラムや各種データを一時的に記憶する一時記憶領域として機能するもので、例えば半導体メモリ等で構成される。なお、物理的な半導体メモリによりＲＡＭ４３を構成するのではなく、ハードディスク記憶装置等を用いて仮想的なＲＡＭ４３を構成してもよい。本実施形態では、ＲＡＭ４３に、予約待ち行列４３ａ、演奏条件設定データ４３ｂ、ログイン利用者ＩＤ４３ｃが記憶されるようになっている。後に詳述するが、予約待ち行列４３ａは、予約管理手段４６により管理され、演奏条件設定データ４３ｂは、演奏条件設定手段４９により設定された演奏条件の設定データであり、ログイン利用者ＩＤ４３ｃは、利用者ＩＤ取得手段２２ｃにより取得され、ログイン利用者管理手段４７により管理される。
【００２３】
＜ＨＤＤ＞
ＨＤＤ４４は、大容量記憶装置として機能するもので、楽曲データベース４４ａ、映像データベース４４ｂ、利用者別演奏条件データベース４４ｃが格納されている。なお、ＨＤＤ４４に替えて、あるいはＨＤＤ４４と共に、データを書き替え可能なＤＶＤ等の大容量記憶装置を用いてもよい。
【００２４】
楽曲データベース４４ａは、演奏データ（ＭＩＤＩ（登録商標）データ）及び歌詞テロップデータが同期されて構成される楽曲データについて、楽曲ＩＤと対応付けてそれぞれ格納したデータベースである。演奏データは各楽曲の演奏データをデジタル化したものであり、歌詞テロップデータは演奏データに同期されたカラオケ楽曲の歌詞文字データである。なお、歌詞文字データには、歌詞文字の表示色データ、色変わりデータ等が含まれている。映像データベース４４ｂは、演奏されるカラオケ楽曲に対応した背景映像を、当該カラオケ楽曲の楽曲ＩＤに対応させた映像ファイルとして所定数格納したデータベースである。利用者別演奏条件データベース４４ｃについては、後に詳述する。
【００２５】
＜送受信手段＞
送受信手段４５は、カラオケ本体２１とカラオケリモコン装置２２との間で、データの送受信を行うための電子回路及びプログラムからなる。本実施形態では、赤外線通信により、カラオケ本体２１とカラオケリモコン装置２２との間で、データの送受信が行われる。
【００２６】
＜予約管理手段＞
予約管理手段４６は、利用者により楽曲検索手段２２ａの機能を用いて選曲され、送受信手段４５を介して受信した当該選曲者の利用者情報（利用者ＩＤ）及び選曲された楽曲ＩＤを対応付けて予約待ち行列４３ａとしてＲＡＭ４３に格納し、管理するためのプログラムからなる。なお、楽曲選択の表示や予約待ち行列４３ａの表示は、カラオケリモコン装置２２の入出力表示部（図示せず）及び表示装置２６のいずれか一方、あるいは双方で行うことができる。
【００２７】
＜ログイン利用者管理手段＞
ログイン利用者管理手段４７は、現に当該カラオケシステム１１にログインしている利用者を、利用者ＩＤに基づき特定して管理するためのプログラムからなる。すなわち、ログイン利用者管理手段４７では、利用者ＩＤ取得手段２２ｃにより利用者ＩＤが取得された場合に、この利用者ＩＤに基づいてカラオケシステム１１にログインしている利用者を特定して管理する。取得した利用者ＩＤは、選曲予約を行う際や利用者別演奏条件データベース４４ｃを構築する際に利用される。
【００２８】
＜利用者別演奏条件管理手段＞
利用者別演奏条件管理手段４８は、各利用者がそれぞれリスナーとなった場合に所望する演奏条件を、利用者別演奏条件データベース４４ｃにて利用者別に管理するためのプログラムからなる。本実施形態では、音量、エコー、音域音量の高低バランスを演奏条件として管理するが、これら条件に他の条件を加えてもよいし、あるいはこれらの条件とは別に他の条件を演奏条件としてもよい。例えば、演奏条件を楽曲別やジャンル別に細分化して管理することができる。この場合、楽曲別やジャンル別に対応して演奏条件が設定される。
【００２９】
図２に、利用者別演奏条件データベース４４ｃの構成例を示す。利用者別演奏条件データベース４４ｃは、図２に示すように、利用者ＩＤと、演奏条件である音量、エコー、音域音量の高低バランスの値とを紐付けして格納したデータベースである。利用者別演奏条件データベース４４ｃの構築は、例えば、カラオケリモコン装置２２を利用して行われる。すなわち、カラオケリモコン装置２２に演奏条件入力機能を持たせ、演奏条件入力モードにおいて入出力画面を操作して所望の演奏条件を入力すると、利用者別演奏条件管理手段４８の機能により、入力された演奏条件が利用者ＩＤに紐付けされて、利用者別演奏条件データベース４４ｃが構築される。
【００３０】
＜演奏条件設定手段＞
演奏条件設定手段４９は、利用者ＩＤが付帯されて選曲予約されたカラオケ楽曲が演奏される際に、利用者別演奏条件データベース４４ｃを参照して、当該楽曲に付帯された利用者ＩＤを除いたログイン利用者ＩＤに対応する演奏条件の平均値を、当該カラオケ楽曲の演奏条件として設定するためのプログラムからなる。すなわち、歌唱者以外にリスナーがいる場合に、聴く側であるリスナーの嗜好に合わせるために、利用者別演奏条件データベース４４ｃを参照して、当該カラオケ楽曲の歌唱者を除いたログイン利用者の演奏条件の平均値を求め、この平均値を当該カラオケ楽曲の演奏条件として設定するような構成となっている。この際、演奏条件の平均値は、単純な相加平均であってもよいし、利用者毎に重み付けを行った加重平均であってもよい。設定された演奏条件は、演奏条件設定データ４３ｂとしてＲＡＭ４３に格納される。
【００３１】
なお、利用者別演奏条件データベース４４ｃにおいて演奏条件が管理されていない利用者がいる場合には、当該利用者の演奏条件としてデフォルトの演奏条件を利用すればよい。また、歌唱者が１人でカラオケシステム１１を利用する場合には、利用者別演奏条件データベース４４ｃを参照して、当該カラオケ楽曲の歌唱者が所望する演奏条件を、当該カラオケ楽曲の演奏条件として設定するような構成としてもよい。
【００３２】
＜音楽再生制御手段＞
音楽再生制御手段５０は、楽曲ＩＤに基づいて楽曲データベース４４ａから抽出された演奏データをデジタル再生すると共にアナログ変換してミキシングアンプ２５に出力するための電子回路である。ミキシングアンプ２５は、マイクロホン２３から入力された歌唱者の歌唱音声信号と、音楽再生制御手段５０から送出される演奏音声信号とをミキシングすると共に、アンプ機能により増幅してスピーカ２４より出力させるための装置である。
【００３３】
＜映像再生制御手段＞
映像再生制御手段５１は、カラオケ楽曲の演奏中に、映像データベース４４ｂから抽出した映像データ及び楽曲データベース４４ａから抽出した楽曲データのうちの歌詞テロップデータ（歌詞文字データ）を、当該カラオケ楽曲の演奏データに同期させて表示装置２６に出力するための電子回路である。この際、カラオケ楽曲の演奏進行に従って、歌詞文字が色変わりして表示される。
【００３４】
＜表示装置＞
表示装置２６は、カラオケ演奏時の映像、歌詞テロップ等を表示するための装置で、例えば、ＣＲＴディスプレイ、液晶ディスプレイ、プラズマディスプレイ等により構成される。
【００３５】
＜演奏条件の設定処理＞
図３及び図４を参照して、本実施形態のカラオケシステムにおける演奏条件の設定処理を説明する。図３は、本実施形態のカラオケシステムにおける演奏条件の設定処理を示すフローチャート、図４は、本実施形態のカラオケシステムにおける演奏条件の設定の手順を示す説明図である。
【００３６】
なお、演奏条件の設定処理に先立ち、利用者別演奏条件管理手段４８の機能により、利用者別演奏条件データベース４４ｃが構築されて、利用者別の演奏条件が管理されているものとする。
【００３７】
図３に示すように、選曲予約されたカラオケ楽曲が存在すると（Ｓ１）、利用者別演奏条件データベース４４ｃを参照して、予約待ち行列４３ａの先頭に登録されたカラオケ楽曲に付帯された利用者ＩＤ以外のログイン利用者の利用者ＩＤに対応する演奏条件データ（リスナーの演奏条件データ）を取得する（Ｓ２）。そして、取得した演奏条件データの平均値を演算して（Ｓ３）、演算結果である平均値を、当該カラオケ楽曲の演奏条件として設定し（Ｓ４）、設定された演奏条件でカラオケ演奏を行う（Ｓ５）。設定された演奏条件は、当該カラオケ楽曲の演奏が終了するまで（Ｓ６）、有効なものとなる。
【００３８】
具体的には、図４に示すように、利用者Ａ、利用者Ｂ、利用者Ｃ、利用者Ｄの４人がログインしている場合に、利用者Ａが選曲予約した（歌唱者となる）カラオケ楽曲が演奏されるとする。この場合には、図２に示す利用者別演奏条件データベース４４ｃを参照し、リスナーである利用者Ｂ、利用者Ｃ、利用者Ｄの演奏条件データを取得し、これらの平均値を演算し、当該カラオケ楽曲の演奏条件として設定する。図４に示す例では、音量・エコー・高低バランスのそれぞれについて、利用者Ｂは「±０」「±０」「＋２」であり、利用者Ｃは「−１」「−２」「−３」であり、利用者Ｄは「＋３」「−１」「−２」となっている。したがって、利用者Ｂ、利用者Ｃ、利用者Ｄの３人について、音量・エコー・高低バランス平均値は、「＋１」「−１」「−１」となり、この演奏条件で当該カラオケ楽曲の演奏が行われる。この場合、演奏条件として設定可能な数値となるように、設定数値の端数に対して四捨五入、切り上げ、切り捨て等の処理を行ってもよい。
【００３９】
なお、ログインした利用者のすべてがログアウトすると、演奏条件としてデフォルト値を設定することが好ましい。デフォルト値とは、音量・エコー・高低バランスのそれぞれについて、「±０」「±０」「±０」のことである。
【００４０】
＜他の実施形態＞
本発明のカラオケシステム１１及びその周辺装置を構成する機器や手段は上述したものに限定されず、その利用目的に応じて、必要な機器や手段のみの構成としたり、適宜他の機器や手段を付加したりすることができる。また、各手段をそれぞれ別個のものとして構成するのではなく、複数の機能を統合した手段として構成してもよい。
【００４１】
＜ネットワークカラオケシステム＞
また、上述した実施形態は、カラオケシステム１１をスタンドアロンで使用した例を示しているが、各カラオケ店舗等に設置されたカラオケシステム１１を端末装置とし、インターネット回線等を用いて、端末装置とホスト装置とをネットワーク接続した構成とすることもできる。この場合には、ホスト装置において、利用者ＩＤや利用者別の演奏条件等を集中管理することにより、ネットワーク接続された各カラオケシステム１１において同様のサービスを提供することができる。
【符号の説明】
【００４２】
１１  カラオケシステム
２１  カラオケ本体
２２  カラオケリモコン装置
２２ａ  楽曲検索手段
２２ｂ  楽曲索引データベース
２２ｃ  利用者ＩＤ取得手段
２３  マイクロホン
２４  スピーカ
２５  ミキシングアンプ
２６  表示装置
３１  ＩＤ媒体
４１  中央制御手段
４２  ＲＯＭ
４３  ＲＡＭ
４３ａ  予約待ち行列
４３ｂ  演奏条件設定データ
４３ｃ  ログイン利用者ＩＤ
４４  ＨＤＤ
４４ａ  楽曲データベース
４４ｂ  映像データベース
４４ｃ  利用者別演奏条件データベース
４５  送受信手段
４６  予約管理手段
４７  ログイン利用者管理手段
４８  利用者別演奏条件管理手段
４９  演奏条件設定手段
５０  音楽再生制御手段
５１  映像再生制御手段
【図１】
2011013290.tif 000003
【図２】
2011013290.tif 000004
【図３】
2011013290.tif 000005
【図４】
2011013290.tif 000006